(57)【要約】【課題】本発明は、レンズを便利に調節することができるレンズモジュールを提供する。【解決手段】本発明に係るレンズモジュールは、鏡筒、レンズグループ及び圧輪を備える。前記レンズグループは、前記圧輪に当接する少なくとも一つのレンズを備え、前記レンズグループは、前記鏡筒の内部に収容される。前記圧輪は、前記レンズを押さえる。前記圧輪及び前記レンズグループの中の前記圧輪に当接するレンズに別々に互いに配合することができる係合構造を設置し、前記係合構造は、前記レンズグループのレンズを調節することに用いられる。【選択図】図２
2009069832.tif 000002
【特許請求の範囲】
【請求項１】
鏡筒、前記鏡筒の内部に収容されるレンズグループ及び圧輪を備え、前記レンズグループは、前記圧輪に当接する少なくとも一つのレンズを備え、前記圧輪は、前記レンズを押さえ、前記圧輪及び前記レンズグループの中の前記圧輪に当接するレンズに別々に互いに配合することができる係合構造を設置し、前記係合構造は、前記レンズグループのレンズを調節することに用いられることを特徴とするレンズモジュール。
【請求項２】
前記係合構造は、前記レンズに設置したスロット及び前記圧輪に設置した前記スロットと互いに嵌合する係合塊を備えることを特徴とする請求項１に記載のレンズモジュール。
【請求項３】
前記係合構造は、前記レンズに設置した係合塊及び前記圧輪に設置した前記係合塊と互いに嵌合するスロットを備えることを特徴とする請求項１に記載のレンズモジュール。
【請求項４】
前記係合構造は、前記レンズに交互に設置した第一スロット、第一係合塊及び前記圧輪に対応するように設置した前記第一スロットと互いに嵌合する第二係合塊、第一係合塊と互いに嵌合する第二スロットを備えることを特徴とする請求項１に記載のレンズモジュール。
【請求項５】
前記レンズグループは、少なくとも一つのレンズを備え、前記レンズは、光学部及び前記光学部の周囲に連接部を備え、前記スロット及び前記係合塊は、前記連接部の上に設置されることを特徴とする請求項２〜４の何れか一項に記載のレンズモジュール。
【請求項６】
前記係合塊及び前記スロットは、前記レンズの連接部に直接に開設することを特徴とする請求項５に記載のレンズモジュール。
【請求項７】
前記係合塊及び前記スロットは、前記レンズの連接部の上に間隔をおいてに設置した複数のリブから形成することを特徴とする請求項５に記載のレンズモジュール。
【請求項８】
前記圧輪は、前記レンズの光学部に対応する円錐孔を備え、前記円錐孔の内周壁に沿ってその口径が増大する方向に向かって環形フランジが伸びだし、前記環形フランジと前記鏡筒の内壁との間を接着剤を用いて穴埋めすることを特徴とする請求項７記載のレンズモジュール。
【請求項９】
前記圧輪の外側壁に前記鏡筒の内壁と接触する複数の凸塊を等間隔に設置し、隣り合う二つの凸塊の間にスロットを形成することを特徴とする請求項８記載のレンズモジュール。
【請求項１０】
前記スロットにおいて前記接着剤を用いて穴埋めすることを特徴とする請求項９記載のレンズモジュール。
【発明の詳細な説明】
【技術分野】
【０００１】
本発明は、レンズモジュールに関するものであり、特にポータブル電子装置に用いられるレンズモジュールに関するものである。
【背景技術】
【０００２】
科学技術の発展にしたがって、携帯電話のようなポータブル電子装置は、だんだん軽量、美的及び多機能化になり、撮像機能は、近年風靡したポータブル電子装置の付加機能である。ポータブル電子装置に用いられるレンズモジュールは、軽薄で短小でなければならなく、且つ代わりに良い信頼性を持たなければならない。レンズモジュールの構造がレンズモジュールの信頼性を決める。従来のレンズモジュール１０は、鏡筒１２、レンズグループ１４、圧輪１６及び接着剤１８を備える。前記レンズグループ１４は、前記鏡筒１２の内部に収容される。前記圧輪１６で前記レンズグループ１４を押さえるため、前記圧輪１６の底面は、前記レンズグループ１４の上表面に接触し、且つ前記圧輪１６の側壁は、前記鏡筒１２の側壁に接触する。前記圧輪１６の上にフランジ１３が形成されており、前記フランジ１３と前記鏡筒１２の側壁との間にスロット１５が形成される。前記スロット１５内を前記接着剤１８を用いて穴埋めすることにより、前記レンズグループ１４を前記鏡筒１２内に密封し且つ固定する。前記レンズモジュール１０は、鏡筒１２内に圧輪１６を設置してから、その上に接着剤１８を塗布して、前記圧輪１６及び前記レンズグループ１４を前記鏡筒１２に固定するため、前記レンズグループ１４は、前記圧輪１６に覆われてレンズを校正するか合わせることのような調節を行うことができない。だから、先ずレンズグループ１４を調節してから前記圧輪１６を取り付ける。この時、前記レンズグループ１４のレンズ位置に偏差があると、前記圧輪１６を取り除いてから再び調節しなければならないため、操作が不便であって、コストが増加する。なお、前記フランジ１３と前記鏡筒１２の側壁との間に接着剤１８を塗布して前記圧輪１６を密封及び固定するため、前記接着剤１８の塗布面積が小さくなり、従ってその接着堅固性が劣って、前記レンズモジュール１０の信頼性を下げさせて、使用寿命も短くなる。
【発明の開示】
【発明が解決しようとする課題】
【０００３】
本発明の目的は、前記課題を解決し、レンズを便利に調節することができるレンズモジュールを提供することである。
【課題を解決するための手段】
【０００４】
前記目的を達成するため、本発明に係るレンズモジュールは、鏡筒、レンズグループ及び圧輪を備える。前記レンズグループは、前記圧輪に当接する少なくとも一つのレンズを備え、前記レンズグループは、前記鏡筒の内部に収容される。前記圧輪は、前記レンズを押さえる。前記圧輪及び前記レンズグループの中の前記圧輪に当接するレンズに別々に互いに配合することができる係合構造を設置し、前記係合構造は、前記レンズグループのレンズを調節することに用いられる。  
【発明の効果】
【０００５】
本発明のレンズモジュールは、前記レンズ及び前記圧輪に係合構造を設置して、前記レンズ及び前記圧輪が互いに係合することができるため、前記圧輪で前記レンズを押さえても、前記係合構造によって前記レンズを調節することができ、操作が簡単になり、コストを下げる。
【発明を実施するための最良の形態】
【０００６】
以下、添付図面を参照しながら本発明を詳しく説明する。
【０００７】
図２及び図３を参照すると、本発明に係るレンズモジュール１００は、鏡筒１１０、少なくとも一つのレンズグループ１２０及び圧輪１３０を備える。
【０００８】
鏡筒１１０は、大体円柱形状であって、前記鏡筒１１０の中にその両端を貫く階段孔１１２を開設し、前記鏡筒１１０の一端の内周壁に第一石段１１４及び前記第一石段１１４に隣り合う第二石段１１６を形成する。
【０００９】
前記レンズグループ１２０は、第一レンズ１２１及び第二レンズ１２３を備える。前記第一レンズ１２１は、円盤形状の光学レンズであって、光学部１２２及び前記光学部１２２の周囲に連接部１２４を備える。前記連接部１２４の上表面の前記第一レンズ１２１の外周に隣り合う位置に前記連接部１２４から上に向かって伸びだす複数のリブ（ｒｉｂ）１２６を形成し、複数のリブ１２６は、前記連接部１２４の上表面の外縁に等間隔に設置される。隣り合う二つのリブ１２６の間にスロット１２８を形成する。前記第二レンズ１２３は、前記第一レンズ１２１と類似し、光学部１２５及び連接部１２７を備える。前記レンズグループ１２０の第一レンズ１２１及び第二レンズ１２３は、別々に前記鏡筒１１０の内部に収容されており、前記第一レンズ１２１は、その連接部１２４によって前記鏡筒１１０の第一石段１１４の上に置かれ、前記第二レンズ１２３は、その連接部１２７によって前記鏡筒１１０の第二石段１１６の上に置かれる。前記レンズグループ１２０は、複数とすることができ、レンズグループ１２０毎に、ただ一つのレンズを備えることができ、又は複数のレンズを備えることができ、本実施形態に限定されるものではない。
【００１０】
前記圧輪１３０は、前記第一レンズ１２１と互いに配合することができる円環であって、前記圧輪１３０は、前記第一レンズ１２１の光学部１２２に対応する円錐孔１３２を有し、前記円錐孔１３２の内周壁に沿ってその口径が増大する方向に向かって環形フランジ１３４が伸びだす。前記圧輪１３０の外側壁に複数の凸塊１３８を等間隔に設置し、前記凸塊１３８は、前記圧輪１３０の直径方向に沿って前記圧輪１３０の中心から遠く離れる方向に向かって伸びだす。前記凸塊１３８の側面に係合塊１３５を設置し、前記係合塊１３５は、前記第一レンズ１２１のスロット１２８に係合することができる。前記圧輪１３０の隣り合う二つの凸塊１３８の間に前記第一レンズ１２１のリブ１２６に対応するスロット１３６を形成する。
【００１１】
前記圧輪１３０は、前記鏡筒１１０内の第一レンズ１２１を押さえ、前記圧輪１３０の円錐孔１３２は、前記第一レンズ１２１の光学部１２２に対応し、前記圧輪１３０の係合塊１３５は、前記第一レンズ１２１のスロット１２８に対応し、且つ前記スロット１２８内に係合し、前記圧輪１３０の凸塊１３８は、前記鏡筒１１０の内壁に接触する。前記第一レンズ１２１を前記鏡筒１１０内に収容し、且つ前記圧輪１３０で前記第一レンズ１２１を押さえる時、前記圧輪１３０のスロット１３６に調節工具を挿入して前記圧輪１３０を調節することができ、さらに前記第一レンズ１２１のスロット１２８に係合した前記圧輪１３０の係合塊１３５によって前記第一レンズ１２１を伝動して第一レンズ１２１に対する調節を完了する。レンズを校正するか合わせることのような調節を完了してから、前記圧輪１３０の環形フランジ１３４と前記鏡筒１１０の内壁との間及び前記スロット１３６内にＵＶ接着剤（Ｕｌｔｒａｖｉｏｌｅｔ  ｇｌｕｅ）のような接着剤１４０を穴埋めして、前記圧輪１３０と前記第一レンズ１２１とを前記鏡筒１１０に堅固に接続する。
【００１２】
本実施形態において、前記第一レンズ１２１及び前記圧輪１３０に設置した互いに係合することができるスロット１２８及び係合塊１３５などのような係合構造を採用して、前記圧輪１３０で前記第一レンズ１２１を押さえても、依然として前記係合構造によって前記第一レンズ１２１に対して調節を行うことができ、従って操作が簡単になり、コストを下げることができる。又、前記圧輪１３０の凸塊１３８の間にスロット１３６を形成するため、前記圧輪１３０と前記鏡筒１１０とを接着する接着剤１４０を用いて前記スロット１３６内を穴埋めすることができ、従って前記接着剤１４０の接着面積を増加することにより接着強度を上げ、前記レンズモジュールの信頼性及び使用寿命を上げることができる。
【００１３】
前記係合構造として、前記第一レンズ１２１に係合塊を設置し、前記圧輪１３０に前記係合塊と互いに係合することができるスロットを設置することができ、又は前記第一レンズ１２１に第一係合塊と第一スロットとを交互に設置し、前記圧輪１３０に前記第一係合塊及び前記第一スロットと対応する第二スロット及び第二係合塊とを設置することができ、従って前記圧輪１３０で前記第一レンズ１２１を押さえてもレンズに対する調節機能を実現することができ、操作が簡単になり、コストを下げることができる。
【００１４】
以上本発明を実施例に基づいて具体的に説明したが、本発明は、上述の実施例に限定されるものではなく、その要旨を逸脱しない範囲において、種種変更可能であることは勿論であって、本発明の保護範囲は、以下の特許請求の範囲から決まる。
【図面の簡単な説明】
【００１５】
【図１】従来のレンズモジュールの構造を示す断面図である。
【図２】本発明の実施形態に係るレンズモジュールの構造を示す立体分解図である。
【図３】図２に示すレンズモジュールを示す断面図である。
【符号の説明】
【００１６】
１０，１００  レンズモジュール
１２，１１０  鏡筒
１３  フランジ
１４，１２０  レンズグループ
１５，１２８，１３６  スロット
１６，１３０  圧輪
１８，１４０  接着剤
１１２  階段孔
１１４  第一石段
１１６  第二石段
１２１  第一レンズ
１２２，１２５  光学部
１２３  第二レンズ
１２４，１２７  連接部
１２６  リブ
１３２  円錐孔
１３４  環形フランジ
１３５  係合塊
１３８  凸塊
【図１】
2009069832.tif 000003
【図２】
2009069832.tif 000004
【図３】
2009069832.tif 000005